(57)【要約】【課題】安価な材料を用いつつ、穿刺しても模擬人体組織と模擬血管の間から液漏れが起こらない穿刺練習用模型を提供する。【解決手段】ハイドロゲルからなる模擬人体組織と、当該模擬人体組織に埋設された樹脂製チューブからなる模擬血管とを備えた穿刺練習用模型であって、前記樹脂製チューブ表面には多孔質粉末が固着された接着剤層が形成されており、前記ハイドロゲルと前記接着剤層が形成された前記樹脂製チューブとが前記多孔質粉末を介して接合されるようにした。【選択図】図２
2014044260.tif 000002
【特許請求の範囲】
【請求項１】
ハイドロゲルからなる模擬人体組織と、当該模擬人体組織に埋設された樹脂製チューブからなる模擬血管とを備えた穿刺練習用模型であって、
前記樹脂製チューブ表面には多孔質粉末が固着された接着剤層が形成されており、
前記ハイドロゲルと前記接着剤層が形成された前記樹脂製チューブとが前記多孔質粉末を介して接合されていることを特徴とする穿刺練習用模型。
【請求項２】
前記多孔質粉末は、表面にゲル化層が形成されているものである請求項１記載の穿刺練習用模型。
【請求項３】
ハイドロゲルと樹脂成形体とを接合する方法であって、
前記樹脂成形体表面に接着剤を塗布して接着剤層を形成する工程と、
前記接着剤層が硬化する前に前記接着剤層表面に多孔質粉末を散布して、前記接着剤層に多孔質粉末を固着させる工程と、
前記多孔質粉末が固着された前記接着剤層表面に前記ハイドロゲルを設ける工程とを備えていることを特徴とする接合方法。
【発明の詳細な説明】
【技術分野】
【０００１】
この発明は、例えば医学・看護教育用として用いられる穿刺練習用模型に関するものである。
【背景技術】
【０００２】
医学・看護教育用の穿刺練習用模型として、模擬人体組織内に模擬血管を埋設したものが知られている（特許文献１）。この従来品においては、模擬血管としてシリコーン樹脂製のチューブが用いられ、模擬人体組織としてシリコーン樹脂が用いられており、両者の密着性を高めるためにチューブの周囲にはシリコーンゲルが塗布されている。
【０００３】
このような従来品では、模擬人体組織と模擬血管との密着性が極めて高いので、模擬血液を流した模擬血管に穿刺しても、模擬人体組織と模擬血管との間に模擬血液が漏れ出すことはない。しかしながら、全てがシリコーン系高分子から構成されている従来品は、高価である。
【先行技術文献】
【特許文献】
【０００４】
【特許文献１】実開平５−２７７７６号公報
【発明の概要】
【発明が解決しようとする課題】
【０００５】
これに対して、より安価な模擬人体組織としてハイドロゲルが注目されている。しかしながら、ハイドロゲルからなる模擬人体組織に埋設した樹脂製チューブに模擬血液を流し、当該樹脂製チューブに穿刺すると、模擬人体組織と模擬血管との間に模擬血液が漏れ出してしまう。これは一般的な樹脂が疎水性であり、ハイドロゲルと馴染みにくいからである。
【０００６】
この馴染みにくいを改善するために、樹脂製チューブ表面にプラズマ処理することによりぬれ性を増加させたり、シランカップリング剤等の接着助剤を用いたりすることも考えられるが、その効果は限定的であり、多様なハイドロゲルと樹脂性チューブに適用可能な技術は未だ知られていない。
【０００７】
そこで本発明は、安価な材料を用いつつ、穿刺しても模擬人体組織と模擬血管の間から液漏れが起こらない穿刺練習用模型を提供すべく図ったものである。
【課題を解決するための手段】
【０００８】
すなわち本発明に係る穿刺練習用模型は、ハイドロゲルからなる模擬人体組織と、当該模擬人体組織に埋設された樹脂製チューブからなる模擬血管とを備えた穿刺練習用模型であって、前記樹脂製チューブ表面には多孔質粉末が固着された接着剤層が形成されており、前記ハイドロゲルと前記接着剤層が形成された前記樹脂製チューブとが前記多孔質粉末を介して接合されていることを特徴とする。
【０００９】
このようなものであれば、前記多孔質粉末を介して前記ハイドロゲルと前記接着剤層が形成された前記樹脂製チューブとが接合することにより、前記多孔質粉末がアンカー効果を発揮することにより、前記ハイドロゲルと前記接着剤層が形成された前記樹脂製チューブとを液密に接合することができるので、穿刺しても模擬人体組織と模擬血管との間に模擬血液が漏れ出すことを防ぐことができる。
【００１０】
前記多孔質粉末としては、表面にゲル化層が形成されているものを用いることもできる。このようなものであれば、より接合性を高めることが可能である。
【００１１】
本発明に係る穿刺練習用模型において用いられている、ハイドロゲルと樹脂成形体とを接合する方法は、他の用途にも用いることができ、この接合方法もまた本発明の一つである。すなわち本発明に係る接合方法は、ハイドロゲルと樹脂成形体とを接合する方法であって、前記樹脂成形体表面に接着剤を塗布して接着剤層を形成する工程と、前記接着剤層が硬化する前に前記接着剤層表面に多孔質粉末を散布して、前記接着剤層に多孔質粉末を固着させる工程と、前記多孔質粉末が固着された前記接着剤層表面に前記ハイドロゲルを設ける工程とを備えていることを特徴とする。
【発明の効果】
【００１２】
このような構成を有する本発明によれば、模擬人体組織として安価なハイドロゲルを用いても、模擬人体組織と樹脂製チューブからなる模擬血管との接合性が向上し、穿刺による模擬人体組織と模擬血管との間からの液漏れを防ぐことができる。
【図面の簡単な説明】
【００１３】
【図１】本発明の一実施形態に係る穿刺練習用模型の平面図。
【図２】同実施形態に係る穿刺練習用模型の部分拡大縦断面図。
【発明を実施するための形態】
【００１４】
以下に本発明の一実施形態に係る穿刺練習用模型１について図面を参照して説明する。なお、当該実施形態は本発明に係る穿刺練習用模型の一例にすぎず、本発明は当該実施形態により何ら限定されるものではない。
【００１５】
本実施形態に係る穿刺練習用模型１は、図１に示すように、上面を開口させた容器２と、当該容器２内に充填された模擬人体組織３と、模擬人体組織３に埋設された模擬血管４と、模擬血管４の一端に設けられた注入弁５を付設させた管６と、模擬血管４の他端に設けられた排出弁７を取り付けた管８と、を備えている。当該穿刺練習用模型１を使用する際には、注入弁５及び排出弁７を「開」の状態とし、注入弁５側から注入器を用いて水を注入し、排出弁７から水が排出されたことを確認して双方の弁５、７を閉じて、管６、８及び模擬血管４内へ水を充填する。
【００１６】
模擬人体組織３は、ハイドロゲルからなるものである。当該ハイドロゲルとしては、例えば、ＣＭＣ（カルボキシメチルセルロース）、アルギン酸類、ゼラチン、寒天等の多糖類、ＰＶＡ（ポリビニルアルコール）、ポリアクリル酸等の水溶性高分子を母体とするものが挙げられる。
【００１７】
模擬血管４は、樹脂製チューブからなるものである。当該チューブを構成する樹脂としては、例えば、シリコーン樹脂、ポリ塩化ビニル、ポリエステル、ナイロンをはじめとするポリアミド等が挙げられる。
【００１８】
模擬血管４表面には、更に接着剤層４１と、接着剤層４１表面に固定された多孔質粉末４２とが設けられている。
【００１９】
接着剤層４１を構成する接着剤としては、模擬血管４を構成する樹脂製チューブに対して接着性を有するものであれば特に限定されずに用いることができる。
【００２０】
多孔質粉末４２としては、例えば、シリカゲル、珪藻土、ハイドロキシアパタイト（リン酸カルシウム）、ゼオライト、ガラスビーズ等が挙げられる。多孔質粉末４２の粒径としては、例えば、５０〜１５０μｍ程度であり、１００μｍ程度の粒径を有する多孔質粉末４２が好適に用いられる。
【００２１】
模擬血管４表面に多孔質粉末４２が固定された接着剤層４１を形成するには以下のようにすればよい。まず、樹脂製チューブに所望の接着剤を塗布し、次いで、当該接着剤が硬化する前に接着剤の上から多孔質粉末４２を散布して、接着剤層４１に多孔質粉末を固着させる。接着剤はその後剥がれないように、完全に硬化させる。そして、樹脂製チューブ表面に多孔質粉末４２が固定された接着剤層４１を形成した後、樹脂製チューブを容器２に貫通させ、当該容器２内にハイドロゲルの原料ゾルを充填し固化することにより、本実施形態に係る穿刺練習用模型１を作製することができる。
【００２２】
本実施形態に係る穿刺練習用模型１では、多孔質粉末４２を介して模擬人体組織３と接着剤層４１が形成された模擬血管４とが液密に接合されている。このメカニズムとしては、（１）物理的な作用と、（２）化学的な作用が挙げられる。
【００２３】
（１）物理的な作用では、接着剤層４１表面に固着させた多孔質粉末４２の細孔内に模擬人体組織３を構成するハイドロゲルが浸透することにより、ハイドロゲルと多孔質粉末４２とが絡み合い、アンカー効果によって模擬人体組織３と模擬血管４とが液密に接合されると考えられる。
【００２４】
（２）化学的な作用では、接着剤層４１表面に固着させた多孔質粉末４２が、水と反応してゲル化するように、多孔質粉末４２表面に、石膏（ＣａＳＯ４）、ハイドロキシアパタイト、ＣａＣｌ２（塩化カルシウム）やＣａＳＯ４（硫酸カルシウム）等のカルシウム塩等を固着させ、模擬人体組織３を構成するアルギン酸類やＣＭＣ等の側鎖の一部をカルシウム（Ｃａ２＋）に置換し、水に不溶なゲル（Ｃａ２＋／ゲル層）を形成すると、電気的な作用によって、模擬人体組織３と模擬血管４とが液密に接合されると考えられる。
【００２５】
更に、（１）物理的な作用と（２）化学的な作用とを融合して、多孔質粉末４２の中にあらかじめ、カルシウム塩等を吸着させておけば、模擬人体組織３を構成するハイドロゲルが多孔質粉末４２に染み込むことにより、多孔質粉末４２がゲル化し、アンカー効果が生じ、より効果的に模擬人体組織３と模擬血管４とを接合できると考えられる。
【符号の説明】
【００２６】
１・・・穿刺練習用模型
３・・・模擬人体組織
４・・・模擬血管
４２・・・多孔質粉末
４１・・・接着剤層
【図１】
2014044260.tif 000003
【図２】
2014044260.tif 000004